(57)【要約】  【課題】  既存の施行現場からブロックを剥がした場合に、そのブロックの保管や、再利用などの際の移動が容易なブロック集合体を提供し、その際には植生に適したブロック集合体であり、更にブロックの現場での保管が容易になる保管方法を提供する。  【解決手段】  剥がした使用済みの個々のブロック１を、このブロック１に貫通されている鉄筋用の挿入部の方向に再度並べ、この挿入部にワイヤを挿入して前記並べたブロックを繋げてブロック集合体１４とするものである。この時、ブロック集合体１４における使用済みのブロック１とは異なる形状の追加ブロック４を、使用済みのブロック１の間に適宜挟み入れ、更にこの時、追加ブロック４はその側面が、ブロック集合体を水平に吊り上げた時に撓みが生じる場合にも、隣り合う側面の挿入部の口部同士に開きが生じない形状に形成されているブロック集合体１４とすることである。  【選択図】  図４
2006225860.tif 000002
【特許請求の範囲】
【請求項１】
法面や平地面に並べて敷設するブロックであって、鉄筋などに例示される長尺材を通す為の穴や溝に例示される挿入部が、前記ブロックの側面から他の側面に連通して設けられ、前記敷設されたブロックは互いの前記挿入部が連通する様に敷設されると共に前記挿入部には前記長尺材が挿通されている既存の施工現場において、前記ブロックを法面や平地面などの施工地面からの剥がす作業をする現場において、
前記剥がした使用済みの個々のブロックを、前記挿入部の方向に再度並べると共に、この挿入部にワイヤを挿入して前記並べたブロックを繋げたことを特徴とするブロック集合体。
【請求項２】
請求項１記載のブロック集合体であって、前記ブロック集合体の長手両端を吊り上げた時に生ずる前記ブロック集合体の撓みにより、隣接するブロックの対面する側面同士が下方向きに開く為に前記側面に連通する挿通部の口部同士も開き、この開きにより前記長尺材に開き代が出来てしまうブロック集合体である場合に、
請求項１記載のブロック集合体における使用済みのブロックの並びを、前記ブロックとは異なる形状の追加ブロックを前記使用済みのブロックの間に適宜挟み入れて成る新たな並びに替え、
この時、前記追加ブロックの前記側面は、前記撓みの生じる場合にも前記対面する側面の挿入部の口部同士に開きが生じない形状に形成されていることを特徴とするブロック集合体。
【請求項３】
追加ブロックが、使用済みブロックよりも高さのあるブロックであることを特徴とする請求項２記載のブロック集合体。
【請求項４】
追加ブロックが、土を収納できる空隙部を有した植生用のブロックであることを特徴とする請求項２又は３記載のブロック集合体。
【請求項５】
請求項１〜４いずれか記載のブロック集合体にして保管することを特徴とするブロックの保管方法。
【発明の詳細な説明】
【技術分野】
【０００１】
この発明は、傾斜地の法面保護等に使用するコンクリートのブロック集合体及びブロックの保管方法に関する。
【背景技術】
【０００２】
堤防の法面などにコンクリートのブロックを敷設して形成された護岸などは、その後、何らかの理由によりブロックを剥がすことがある。
【０００３】
例えば、法面の地盤沈下により補修が必要になった場合、これを一旦剥がさなければならなくなる。或いは、堤防などに橋を架ける場合、橋脚の施工に合わせて橋の施工場所のブロックを剥がす場合がある。その他、様々な理由により、以前に施工されたブロックの敷設現場から、ブロックを剥がす場合がある。
【０００４】
ブロックは一般に、施行対象の平地面や法面（以下、代表して「法面」という）に並べて敷設され、これに鉄筋などにより串刺し状にして、増水時などによる剥がれなどを防いでいる。或いは、法面の多少の沈下などには対応できる様に成っている。従って、剥がす時には、この様な鉄筋を抜きながら剥がすこととなる。
【０００５】
剥がされたブロックは、多くの場合、国有財産であった県の財産であったりするので、簡単には廃棄できない。また破砕して道路などの下地材へと再利用される場合もあるが、破砕その他の加工費がかさむ事となる。
【０００６】
その為、剥がした現場に積んで保管しておくことが多い。この保管される使用済みのブロックは、その後に、別の場所の護岸工事などに利用されることがある。
【０００７】
ただ、剥がした現場に積んで保管する場合であっても、ブロックの１つ１つを積むのは手間が掛かる。また剥がすときは、剥がした直後の少量を剥がした場所の近くの一時的な場所に積んだり、その後に現場での長期保管用の場所に再移動させたり、更にはその移動させた場所がその後の工事の邪魔になるために、再度移動させたりするので、この移動させる手間が負担になっている。
【０００８】
また現場での長期保管は、積み上げたブロックが崩れていないか、数量が減っていないか等の管理が必要であり、煩わしさとなっている。
【０００９】
またこの様な、剥がした現場での長期保管の後、他の施工現場での再利用の途が生じた場合には、トラックへの積み込みなどにも手間が掛かる。
【００１０】
これに対して、図１６に示す様にブロック１００をワイヤ１０１で連結して集合体にしておくことが考えられる（特許文献１）。これは従来であれば、現場で法面に１つづつブロックを敷設してゆき、これに鉄筋を通していたのであるが、ブロック集合体１００であれば、敷設前に工場などでワイヤを通してブロック集合体にしてあるので、施工現場では、これをクレーンなどで吊り上げて法面に敷設すればよく、施工が大幅に簡略されるメリットがある。
【００１１】
又この様なブロック集合体１００は吊り上げる時には、撓むこととなる。その為に図１７〜１８に示す様に、用いられるブロック１０２の側面１０３は、少なくとも貫通部１０４より上がテーパーにして撓みに対応させてある。このテーパーが無いブロックの場合、例えばそれが直方体のブロック１０５であると、図１９に示す様に、撓んだ時にはブロックの上角同士１０６がぶつかって、側面が下向きに開いてしまう（符号１０７）。ところがこの様に開いてしまうと、ワイヤに開き代１０８が出来てしまう。そしてこの様な状態のブロック集合体を法面に載置すると、図２０に示す様に、開き代１０８になっていたワイヤがそのままブロックの間に残ってしまうとう不都合がある。そのため、これを避ける為に、貫通部から上をテーパーにしてあるのである。また貫通部を重心より下方に配置するのである。
【特許文献１】特開平５−８５６９５号公報
【発明の開示】
【発明が解決しようとする課題】
【００１２】
ただ、以前からの既存の施工現場では、この様なブロック集合体が用いられていない現場が大半であり、当然、吊り上げた時の撓みによる開きを生じてしまう。無論、ブロックに直方体以外にも様々な形状が従来からあるので、大きさや形状によっては、たまたま撓んでも下方に開かないといったブロック集合体に適したものもある。しかし多くは図１９〜２０で示した様な問題を生ずるのであり、ブロック集合体には適さない。
【００１３】
またこの様なブロック集合体に関する問題の他、既存の施工現場では、最近のブロックに見られる様な植生への対応などもなされていない現場が多くある。植生への対応には、ブロックの側面に設けた縦溝状の窪みや、ブロックを上下に貫通する穴などによる土の空隙部を設けることが試みられており、植生ブロックなどと呼ばれている。この植生ブロックであれば、空隙部から草木が生育できるので、堤防の緑化などに役立つのであるが、剥がしたブロックにはこの様な植生に対する配慮がなされていないものも多く、この様なブロックを再利用すると、堤防その他の緑化が図れないという問題もある。
【００１４】
これらの問題を鑑み、本願発明の目的とするところは、既存の施行現場からブロックを剥がした場合に、そのブロックの保管や、再利用などの際の移動が容易なブロック集合体を提供し、その際には植生に適したブロック集合体であり、更にブロックの現場での保管が容易になる保管方法を提供することにある。
【課題を解決するための手段】
【００１５】
本願請求項１記載のブロック集合体の発明は、法面や平地面に並べて敷設するブロックであって、鉄筋などに例示される長尺材を通す為の穴や溝に例示される挿入部が、ブロックの側面から他の側面に連通して設けられ、敷設されたブロックは互いの挿入部が連通する様に敷設されると共に挿入部には長尺材が挿通されている既存の施工現場におけるものである。そして、ブロックを法面や平地面などの施工地面からの剥がす作業をする現場において、剥がした使用済みの個々のブロックを、挿入部の方向に再度並べると共に、この挿入部にワイヤを挿入して並べたブロックを繋げたことを特徴とする。
【００１６】
これにより、ブロックを、その剥がした現場に保管する場合にも、ブロック集合体単位で移動させることが出来るので、保管や保管場所の変更に伴う移動が容易になる。また、他の現場で再利用する場合にも、トラックへの積み込み、積み下ろしが容易であり、また再利用される新たな施工現場においては、ブロック集合体単位での敷設が出来るので、施工が容易になる。
【００１７】
請求項２記載のブロック集合体の発明は、請求項１記載のブロック集合体であって、ブロック集合体の長手両端を吊り上げた時に生ずるブロック集合体の撓みにより、隣接するブロックの対面する側面同士が下方向きに開く為に側面に連通する挿通部の口部同士も開き、この開きにより長尺材に開き代が出来てしまうブロック集合体である場合に関する。即ちこのブロック集合体は、請求項１記載のブロック集合体における使用済みのブロックの並びを、ブロックとは異なる形状の追加ブロックを使用済みのブロックの間に適宜挟み入れて成る新たな並びに替えたものであり、この時、追加ブロックの側面形状は、撓みの生じる場合にも対面する側面の挿入部の口部同士に開きが生じない形状に形成されていることを特徴とする。
【００１８】
これにより、ブロック集合体をクレーンなどで吊り上げる場合でも、ワイヤに開き代の生ずることが無くなり、良好な施工が出来る。またブロックの上角がぶつかる等によりブロックが破損してしまうことの、回避もできる。
【００１９】
請求項３記載のブロック集合体の発明は、請求項２記載のブロック集合体であって、追加ブロックが、使用済みブロックよりも高さのあるブロックであることを特徴とする。
【００２０】
これにより、ブロック集合体におけるブロックの各高さに凹凸が出来るので、このブロック集合体を敷設した後に、その上から覆土すると、使用済みブロックの部分が凹んだ一となりここに多めの覆土を盛ることができる。また敷設されたブロック集合体に凹凸があると、覆土のずり落ちなどを防ぐことに役立つ。
【００２１】
請求項４記載のブロック集合体の発明は、請求項２記載のブロック集合体であって、追加ブロックが、土を収納できる空隙部を有した植生用のブロックであることを特徴とする。  これにより、使用済みブロックを再利用した護岸などでも、植生ブロックによる護岸とすることができる。
【００２２】
請求項５記載のブロックの保管方法の発明は、施工現場で剥がしたブロックの保管方法であって、請求項１〜４記載のブロック集合体を形成し、このブロック集合体を保管することを特徴とする。
【００２３】
これにより、保管作業および移動作業が容易になり、また管理単位が集合体単位に出来るので、数量管理などにおいても正確になる。
【発明の効果】
【００２４】
以上の発明により、既存の施行現場からブロックを剥がした場合に、そのブロックの保管や、再利用などの際の移動が容易になる。また再利用する際にも、敷設作業が容易になる。またその際には剥がした使用済みブロックが植生に不向きなものであっても、新たなブロックを追加することにより、植生に適したブロック集合体を得ることができる。
【発明を実施するための最良の形態】
【００２５】
次に、本願発明の実施例を、図を持って説明する。
（実施例１）図１に示すのは既設の施工現場から剥がした使用済みのブロック１の３面図（左上；平面図、下；正面図、右上；右側面図）である。この使用済みブロック１は、外形がほぼ直方体をしている。また長手な側面２には鉄筋の挿してあった挿通部としての挿通孔３が２本、平行に設けられてある。
【００２６】
また図２に示すのは、この使用済みのブロック並びの間に適宜挟み入れる追加ブロック４の３面図（同）である。この追加ブロック４は、底面５の形状が使用済みブロック１の底面６とほぼ同じ長方形に概ね形成されている。そして底面５の４辺から側面７が立ち上がっているが、底面５の長い辺８から立ち上がる２つの側面７ａが、テーパーな斜面に設けられて、ブロックの上面９が底面より狭くなっている。
【００２７】
またテーパーな２つの側面７ａの一方には、縦溝１０が２本凹設してあり、植生用の空隙部１０になっている。このテーパーな側面７ａにも、貫通部としての２本の貫通孔１１が設けられており、使用済みブロックの貫通孔３と同じ間隔、同じ高さ（ブロックの底面５からの高さ）である。更に、追加ブロック４の上面９には、隣接させた他の追加ブロックと連結させる為のアンカー孔１２が２つ設けられている。
【００２８】
なお上述したテーパーな斜面７ａであるが、これは厳密には、底面５から挿通孔１１までは底面５に垂直な面ななっており、挿通孔１１から上がテーパーな斜面７ａになっている。底面５の短い辺８’から立ち上がる側面７ｂは、底面５に垂直になっているが、テーパーな側面７ａに挟まれているので、台形になっている。
【００２９】
ブロックの底面の長方形の大きさには規格がなく、また貫通孔３，１１の間隔や高さも規格があるわけではないので、使用済みブロック１に合わせた追加ブロック４を予め用意しておくのである。これは、一般にはこの使用済みブロックに合わせて新規に製造することとなる。
【００３０】
次に、以上の使用済みブロック１と追加ブロック４とを用いたブロック集合体について説明する。まず、既存の施工現場のブロックに対応した追加ブロックを準備し、その現場に持ち込んで準備しておくのである。
【００３１】
そして、その現場でブロックを剥がす作業を行い、剥がしたら、その剥がされた使用済みブロック１と、準備された追加ブロック４とを、それら挿通孔３，１１の向き方向に交互に並べる。そして図３に示す様に、１本のワイヤ１３で２つの挿通孔（３，３），（１１，１１）をU字状に通すのである。この様にしてワイヤ１３で繋がれて得たブロック集合体１４は、クレーンなどの装置で、図４に示すように吊り上げることができ、吊り上げ移動させて所定の保管場所に載置するのである。吊り上げる際には、U字の押し返し部分のループ１５をクレーンなどへの係止に用い、反対側のワイヤの開放端１６は、吊り上げ装置に把持させて水平に吊り上げるのである。このようにして載置した保管場所から、別の場所への再移動や、トラックへの積み込みの為に移動させる時も、同様にして吊り上げればよいのである。以上のようにして、保管の為に移動させ、或いは他の施工現場への搬送の為に移動させるのに、ブロック集合体１４は好適である。
【００３２】
又この様にして吊り上げると、図４の様にブロック集合体１４は撓むこととなる。しかし追加ブロック４は、図５に示すように、使用済みブロック１と隣り合う側面７ａがテーパーな斜面なので、ブロック集合体１４が撓んだ時でも対面する側面７ａ，１７同士に開きが生じす、結果、その側面７ａ，１７の挿入部の口部１８，１８同士に開きが生じない。その為に、発明の課題で指摘した様なワイヤの開き代も生じないで済む。
【００３３】
従って、新たな施工現場で再利用する場合には、このブロック集合体１４ごと敷設できるので効率がよい。また吊り上げた時にはこの様にワイヤ１３に開き代が生じないので、法面に載置しても、ブロック１，４間に不要な隙間の空くことがなく、作業が良好に進む。敷設したブロック集合体１４は、施工現場により、長さが余ったり足らなかったりするが、その場合には、ブロックを抜いて短くしたり、ブロックを足して長くするなどして調整するのである。
【００３４】
そして図６に示すように、法面にブロック集合体１４ａを敷設したら、隣にもう一列のブロック集合体１４ｂを敷設し、上端のワイヤ同士をクリップ１９で留めるのである。この様に次々と縦列のブロック集合体１４を敷設してゆくのである。その際、隣り合う列（ブロック集合体１４）とは、互いの列の近隣する追加ブロック同士４をこれらの上面に設けてあるアンカー孔１２で連結するのである。つまり列を跨るようにして、アンカー孔１２同士に鋼板による連結材２０を掛け渡し、アンカーボルトでアンカー孔１２に締め付けるのである。これにより、ブロック集合体１４の位置ズレや、地盤沈下によるブロック集合体１４自身の陥没、剥がれなどに対して安定するのである。
【００３５】
この様な作業を繰り返すことにより法面での敷設が、図７に示すように完了したら、これらのブロック集合体１４の上から覆土２１を被せるのである。この覆土２１は、ブロック集合体１４全体を覆い隠すが、この全体を覆い隠した状態のままにしておく場合と、覆土２１を背の高い方の追加ブロックの上面９と面一に成る程度に払いのける場合がある。いずれにしても、この時、敷設したブロック集合体１４は、背の高い追加ブロック４と、背の低い使用済みブロック１が交互に並んでいるので、図８に示すように、低い使用済みブロックの窪みの部分（土溜部２２）に覆土２１が溜まることとなる。覆土２１はこの様な土溜部２２に溜まるので草などの植生する場所となる。また追加ブロック４自身には、テーパーな側面に凹設された２本の縦溝に土が詰まり、これが植生用の空隙部１０（図６参照）になっており、この空隙部１０に溜まる土によっても植生がなされるのである。
【００３６】
（実施例２）この実施例２は、使用済みブロック１が実施例１と同じブロックであり（図１参照）、これに挟み込む追加ブロック２３だけが、実施例１と異なっている。この追加ブロック２３は、図９に示す様に、使用済みブロック１に対面する側面２４（２面）がテーパーな斜面に設けられて、ブロック２３の上面２５が底面２６より狭くなっている点は実施例１と同じである。そしてこの２つの側面２４の一方２４ａには縦溝２７が２本凹設してあり、他方の側面２４ｂは大きな縦溝２８が１つ凹設してあり、これが共に植生用の空隙部２７，２８になっている。更に、２本の挿通孔２９がテーパーな側面２４を貫通させて設けられている。また追加ブロック２３の上面２５には、隣接させた他の追加ブロックと連結させる為のアンカー孔２５ａが、実施例１同様に２つ設けられている。又この実施例２の追加ブロック２３も、使用済みブロックより上面２５が高くしてある。
【００３７】
この追加ブロック２３の用い方は実施例１と同じであり、既設の施工現場から剥がした使用済みブロック１と交互に並べて図１０に示す様なブロック集合体３０とし、これを現地で保管したり、新たな施工現場に運び、そこで敷設したりするのである。図１０は新たな施工現場に敷設した図であり、空隙部２７，２８が実施例１よりも大きいので植生に優れる。使用済みブロック１と追加ブロック２３との高さの違いにより、土溜部ができるのは、実施例１と同様である。
【００３８】
（実施例３）この実施例３は、使用済みブロック３１が図１１に示すようなものであり、次に述べる追加ブロック３２と隣り合う面３３（側面）がテーパーに成っている。そして貫通孔３４は１つだけ設けられている。
【００３９】
使用済みブロック３１の側面３３がテーパーになっている為、図１２に示す追加ブロック３２の側面３５は実施例１〜２のようなテーパーにはなっておらず、ブロック底面３６に対して垂直となる様に形成されている。即ちこの追加ブロック３２は全体としてほぼ直方体をなしており、ただ実施例１〜２と異なるのは、使用済みブロック３１と隣り合う側面３５の横幅Ｗ１が、使用済みブロックの同じ横幅Ｗ２よりも１．５倍ほど長いことである。また実施例１〜２と異なり、追加ブロック３２の高さＨ１は使用済みブロック３１の高さＨ２と同じにしてある。
【００４０】
その為、この追加ブロック３２を用いてブロック集合体を形成する時には、図１３に示すように、使用済みブロック３１「２つ」と追加ブロック３２「１つ」とを交互に並べるのである。使用済みブロック３１の「２つ」は列に直角な方向に横並びさせ、その際、１つしかない貫通孔３４は列方向となる向きに並べられるのである。よって追加ブロック３２の長手な側面３５には、２つの使用済みブロック３１の貫通孔３５に連通できる位置に、２つの貫通孔３７が設けられている。この様に、実施例３のブロック集合体３８は、２つの使用済みブロック３１と１つの追加ブロック３２とを交互に並べたものであり、ブロック集合体３８の縦の両側は、凹凸に形成される。そして、このブロック集合体を新たな施工現場で用いた場合には、図１３に示したように、横並びとなった２つの追加ブロックの間に、前記の凹凸による大きな空隙部３９ができるのである。
【００４１】
また横並びの２つの使用済みブロック３１は、前後から２つの追加ブロック３２で挟まれているが、これにより、図１３〜１４に示すような土溜部４０が、横並びした２つの使用済みブロックの間に形成され、この点でも植生に役立っている。
【００４２】
また図１５に示すように、ブロック集合体の縦列に並ぶブロック間でも、使用済みブロックの側面３３のテーパーにより、土溜部４１が形成される。尚これは、実施例１〜３のいずれにも云えることであるが、ブロック集合体の縦列に着目すると、吊り上げた時の撓みを容認する為に、隣接する側面同士が上方に開いた空間が、結果的には土溜部にも成っているのである。
【００４３】
なお、本願発明は上記実施例に限るものではなく、本願発明の趣旨を逸脱しない範囲で、どの様に実施されてもよい。使用済みブロックと追加ブロックは１つおきに並べるのではなく、その他の並べ方であってもよい。使用済みブロックは１種類に限らず複数種類を用いてもよく、追加ブロックも同様に複数種類を用いてもよい。
【図面の簡単な説明】
【００４４】
【図１】この図は、実施例１及び実施例２における使用済みブロックの図である。
【図２】この図は、実施例１における追加ブロックの図である。
【図３】この図は、実施例１のブロック集合体の図である。
【図４】この図は、ブロック集合体を吊り上げる様子の図である。
【図５】この図は、実施例１において、追加ブロックのテーパーな側面の働きを説明する図である。
【図６】この図は、ブロック集合体を並べて敷設する図である。
【図７】この図は、法面にブロック集合体を敷設し、これに覆土で被せた図である。
【図８】この図は、土溜部の図である。
【図９】この図は、実施例２の追加ブロックの図である。
【図１０】この図は、実施例２のブロック集合体を並べて敷設する図である。
【図１１】この図は、実施例３の使用済みブロックの図である。
【図１２】この図は、実施例３の追加ブロックである。
【図１３】この図は、実施例３のブロック集合体を並べて敷設する図である。
【図１４】この図は、土溜部の図である。
【図１５】この図は、実施例３において使用済みブロックのテーパー面の働きを説明する図である。
【図１６】この図は、従来のブロック集合体を吊り上げた図である。
【図１７】この図は、図１６に用いているブロックの図である。
【図１８】この図も、図１６に用いているブロックの図である。
【図１９】この図は、直方体のブロックをブロック集合体にした場合の問題点を説明する図である。
【図２０】この図は、直方体のブロックによりワイヤにできる開き代の問題点を説明する図である。
【符号の説明】
【００４５】
１  実施例１及び２の使用済みブロック
２  使用済みブロックの側面
３  使用済みブロックの挿通孔
４  実施例１の追加ブロック
５  追加ブロックの底面
６  使用済みブロックの底面
７，７ａ  追加ブロックのテーパーな側面
８    追加ブロックの底面の長い辺
８’  追加ブロックの底面の短い辺
９  追加ブロックの上面
１０  空隙部としての縦溝
１１  追加ブロックの挿通孔
１２  アンカー孔
１３  ワイヤ
１４  実施例１のブロック集合体
１８  挿通孔の口部
２１  覆土
２２  土溜部
２３  実施例２の追加ブロック
２４  追加ブロックの側面
２５  追加ブロックの上面
２６  追加ブロックの底面
２７、２８  縦溝による空隙部
２９  追加ブロックの挿通孔
３０  実施例２のブロック集合体
３１  実施例３の使用済みブロック
３２  実施例３の追加ブロック
３３  使用済みブロックの側面
３４  使用済みブロックの貫通孔
３５  追加ブロックの側面
３６  追加ブロックの底面
３７  追加ブロックの挿通孔
３８  実施例３のブロック集合体
３９  空隙部
４０，４１  土溜部
【図１】
2006225860.tif 000003
【図２】
2006225860.tif 000004
【図３】
2006225860.tif 000005
【図４】
2006225860.tif 000006
【図５】
2006225860.tif 000007
【図６】
2006225860.tif 000008
【図７】
2006225860.tif 000009
【図８】
2006225860.tif 000010
【図９】
2006225860.tif 000011
【図１０】
2006225860.tif 000012
【図１１】
2006225860.tif 000013
【図１２】
2006225860.tif 000014
【図１３】
2006225860.tif 000015
【図１４】
2006225860.tif 000016
【図１５】
2006225860.tif 000017
【図１６】
2006225860.tif 000018
【図１７】
2006225860.tif 000019
【図１８】
2006225860.tif 000020
【図１９】
2006225860.tif 000021
【図２０】
2006225860.tif 000022